(57)【特許請求の範囲】
【請求項１】
一様に同じスクリーン濃度の第１背景及び前記第１背景に形成され目視で確認できる第１パターンを有する第１複写防止部と、
第２背景及び前記第２背景に形成された第２パターンを有する第２複写防止部と、
を備え、
前記第１パターンは、前記第１背景のスクリーン濃度から濃く変化するグラデーションと、前記第１背景のスクリーン濃度から薄く変化するグラデーションとを隣接して有し、
前記第２背景と前記第２パターンは、網点のスクリーン線数が異なると共に、スクリーン濃度が同じ又はほぼ同じであり、
第１の濃度以下で複写した場合、前記第１複写防止部は、複写されず、
前記第１の濃度よりも濃い第２の濃度で複写した場合、前記第２複写防止部の前記第２パターンは、前記第２背景よりも濃く複写される
ことを特徴とする複写防止印刷物。
【発明の詳細な説明】
【技術分野】
【０００１】
本発明は、主に、商品券、帳票、クーポン券、プリペイドカード等の不正コピーを防止する複写防止印刷物に関するものである。
【背景技術】
【０００２】
従来、商品券、帳票、クーポン券、プリペイドカード等の不正コピーを防止する対策として、コピーを行うとコピー品に対してコピーを行った旨の表示がなされる印刷物が開示されている（特許文献１）。
【先行技術文献】
【特許文献】
【０００３】
【特許文献１】特許第３５０９９２８号公報
【発明の概要】
【発明が解決しようとする課題】
【０００４】
特許文献１には、一見すると一様に見えるが、スクリーン線の異なる複数の領域を有する印刷物が記載されている。この印刷物は、スクリーン線数の多い領域と少ない領域とで複写の再現性が異なることを利用して、複写が行われた際に、複写が不正であることを表示させるものである。
【０００５】
しかしながら、特許文献１に記載された技術では、複写機の性能の向上に伴い、スクリーン線数の多い領域と少ない領域との複写の再現性の差異が低減され、複写が不正であることを表示させることができなくなってきている。
【０００６】
本発明は、性能の向上した複写機によって複写をした場合であっても、不正な複写であると判定することが可能な複写防止印刷物を提供することである。
【課題を解決するための手段】
【０００７】
上記目的を達成する本発明の複写防止印刷物は、
一様に同じスクリーン濃度の第１背景及び前記第１背景に形成され目視可能な第１パターンを有する第１複写防止部と、
第２背景及び前記第２背景に形成された第２パターンを有する第２複写防止部と、
を備え、
前記第１パターンは、前記第１背景のスクリーン濃度から濃く変化するグラデーションと、前記第１背景のスクリーン濃度から薄く変化するグラデーションとを隣接して有し、
前記第２背景と前記第２パターンは、網点のスクリーン線数が異なると共に、スクリーン濃度が同じ又はほぼ同じであり、
第１の濃度以下で複写した場合、前記第１複写防止部は、複写されず、
前記第１の濃度よりも濃い第２の濃度で複写した場合、前記第２複写防止部の前記第２パターンは、前記第２背景よりも濃く複写される
ことを特徴とする。
【発明の効果】
【０００８】
本発明によれば、性能の向上した複写機によって複写をした場合であっても、不正な複写であると判定することが可能な複写防止印刷物を提供することが可能となる。
【図面の簡単な説明】
【０００９】
【図１】実施形態の複写防止印刷物を示す図である。
【図２】実施形態の複写防止印刷物の第１複写防止部を示す図である。
【図３】図２のＸ−Ｙを結ぶ線における印刷物の濃度分布を示す図である。
【図４】クレイク・オブライエン効果を説明するための図である。
【図５】クレイク・オブライエン効果を説明するための図である。
【図６】クレイク・オブライエン効果によって知覚される濃度分布を示す図である。
【図７】実施形態の第２複写防止部を示す図である。
【図８】図８の一部を拡大した図である。
【図９】実施形態の複写防止印刷物を通常の濃度で複写した複写物を示す図である。
【図１０】実施形態の複写防止印刷物を濃い濃度で複写した複写物を示す図である。
【発明を実施するための形態】
【００１０】
以下、図面を参照にして本発明にかかる複写防止印刷物について説明する。
【００１１】
図１は、実施形態の複写防止印刷物Ｐを示す図である。
【００１２】
実施形態の複写防止印刷物Ｐは、第１複写防止部１と、第２複写防止部２と、を有する。複写防止印刷物Ｐには、全面に、第１複写防止部１及び第２複写防止部２を印刷してもよいし、一部に第１複写防止部１及び第２複写防止部２を印刷してもよい。また、複写防止印刷物Ｐは、ドットを形成するインクジェットプリンタにより印刷することが好ましい。
【００１３】
第１複写防止部１は、第１背景１１と、第１背景１１上に形成された所定の第１パターン１２と、を有する。また、第２複写防止部２は、第２背景２１と、第２背景２１上に形成された所定の第２パターン２２と、を有する。
【００１４】
図２は実施形態の複写防止印刷物Ｐの第１複写防止部１を示す図、図３は図２のＸ−Ｙを結ぶ線における印刷物の濃度分布を示す図である。
【００１５】
図２に示すように、第１複写防止部１は、第１背景１１と、第１背景１１上に形成された低濃度のグラデーションによる所定の図形及び／又は文字等からなる第１パターン１２と、を有する。第１背景１１は、第１パターン１２の外側に位置する外側部分１１ａと、第１パターン１２の内側に位置する内側部分１１ｂと、を有する。
【００１６】
図３に示すように、第１背景１１を構成する外側部分１１ａ及び内側部分１１ｂは、一様に同じスクリーン濃度を有する。これに対して、第１パターン１２は、スクリーン濃度の濃い部分１２ａと、スクリーンの薄い部分１２ｂと、からなるグラデーションを有する。
【００１７】
ここで、クレイク・オブライエン効果について説明する。
【００１８】
図４及び図５はクレイク・オブライエン効果を説明するための図である。
【００１９】
図４に示した第１の領域５１と第２の領域５２との境界５３は、図３に示したようなスクリーン濃度の濃い部分５３ａと、スクリーン濃度の薄い部分５３ｂと、からなるグラデーションを形成している。すると、人間の目には、境界５２の濃度の濃い部分５３ａ側にある第１の領域５１が、境界５２の濃度の薄い部分５３ｂ側にある第２の領域５２よりもスクリーン濃度が一様に濃く見える。
【００２０】
しかしながら、実際には、境界５３を覆うと、図５に示すように、第１の領域５１と第２の領域５２は、同じスクリーン濃度となっている。この人間の目の錯覚をクレイク・オブライエン効果という。
【００２１】
図６は、クレイク・オブライエン効果によって知覚される濃度分布を示す図である。
【００２２】
図２に示した第１複写防止部１の第１パターン１２は、実際には図３に示すようなグラデーションを有する。しかしながら、人間の目で見ると、図６に示した線Ｖのような濃度分布で見える。その結果、全体的に低濃度であっても目視がしやすくなっている。
【００２３】
図１に示すように、本実施形態の複写防止印刷物Ｐは、このようなクレイク・オブライエン効果を利用することで、低濃度であっても目視で確認できる第１パターン１２を形成した第１複写防止部１を有する。本実施形態の第１複写防止部１は、図２に示した第１パターン１２の外側部分１１ａが濃く見えて、内側部分１１ｂが薄く見える。
【００２４】
複写防止印刷物Ｐの第１複写防止部１は、クレイク・オブライエン効果によって目視で確認でき、通常の第１の濃度以下の複写では消えてしまって再現されず、通常の第１の濃度よりも濃い第２の濃度で複写してはじめて再現できるような低濃度で形成される。
【００２５】
一例として、図６に示したスクリーン濃度ａ１，ａ２，ａ３（％）を、シアン又はマゼンダの単色のインク、若しくはシアンとマゼンダの同量を掛け合わせたインクを用いて、３≦ａ２≦６、ａ２−４≦ａ１≦ａ２−１、ａ２＋１≦ａ３≦ａ２＋４とそれぞれ設定して印刷すると、通常の複写では再現されずに消えてしまい、通常の濃度よりも濃い濃度で複写してはじめて再現できるような濃度で形成される第１複写防止部１を実現することが可能である。
【００２６】
次に、図１に示した複写防止印刷物Ｐの第２複写防止部２について説明する。
【００２７】
図７は実施形態の第２複写防止部２を示す図、図８は図７の一部を拡大した図である。
【００２８】
図７に示すように、第２複写防止部２は、第２背景２１と、第２背景２１上に形成された所定の図形及び／又は文字等からなる第２パターン２２と、を有する。第２背景２１及び第２パターン２２は、図８に示すように、網点によって形成される。第２背景２１と第２パターン２２の網点のスクリーン線数は、異なるが、第２背景２１と第２パターン２２のスクリーン濃度は、同じ又はほぼ同じとする。
【００２９】
第２背景２１と第２パターン２２のスクリーン濃度は、同じ又はほぼ同じとするので、第２背景２１と第２パターン２２は、肉眼では、ほとんど区別がつかず、第２複写防止部２は、一様に見える。
【００３０】
従来の複写機では、第２複写防止部２を複写すると、「複写」の文字からなる第２パターン２２が浮かび上がり、不正な複写が行われたことが明らかであった。しかしながら、現在の複写機は、性能が向上したことにより、通常濃度で複写をしても、複写物の第２背景２１と第２パターン２２は、肉眼では、ほとんど区別がつかず、第２複写防止部２は、一様に見える。しかしながら、濃い濃度で複写を行うと、第２複写防止部２は第２背景２１と第２パターン２２との線数の差からコントラストが大きくなり、「複写」の文字が浮き上がる。
【００３１】
なお、一例として、図８（ａ）に示した第２背景２１の網点のスクリーン線数は１７５（lpi）、図８（ｂ）に示した第２パターン２２の網点のスクリーン線数は４５〜８０（lpi）とすると、第２背景２１及び第２パターン２２のスクリーン濃度が同じ又はほぼ同じ１０〜２０％の間となり好ましい。
【００３２】
図９は実施形態の複写防止印刷物Ｐを通常の濃度で複写した第１複写物Ｐ１を示す図、図１０は実施形態の複写防止印刷物Ｐを通常よりも濃い濃度で複写した第２複写物Ｐ２を示す図である。
【００３３】
図１に示すような第１複写防止部１及び第２複写防止部２を有する複写防止印刷物Ｐを通常の第１の濃度で複写する。すると、図９に示すように、第２複写防止部２’は通常に複写されるが、第１複写防止部１’は、低濃度であるため、第１背景１１及び第１パターン１２のどちらも消えてしまい、再現されない。したがって、第１複写物Ｐ１は、不正な複写により作製されたものであることを判別することが可能となる。
【００３４】
次に、図１に示すような第１複写防止部１及び第２複写防止部２を有する複写防止印刷物Ｐを通常よりも濃い第２の濃度で複写する。すると、図１０に示すように、第１複写防止部１”は通常に複写されるが、第２複写防止部２”は第２背景２１”と第２パターン２２”とのコントラストの差が大きくなり、第２パターン２２”が第２背景２１”よりも濃く複写されて「複写」の文字が浮き上がる。したがって、第２複写物Ｐ２は、不正な複写により作製されたものであることを判別することが可能となる。
【００３５】
このように、複写防止印刷物Ｐは、第１背景１１及び第１背景１１に形成された第１パターン１２を有する第１複写防止部１と、第２背景２１及び第２背景２１に形成された第２パターン２２を有する第２複写防止部２と、を備え、第１パターン１２は、第１背景１１よりも濃度の濃い部分及び第１背景１１よりも濃度の薄い部分を隣接して有し、第２背景２１と第２パターン２２は、網点のスクリーン線数が異なると共に、スクリーン濃度が同じ又はほぼ同じであり、第１の濃度以下で複写した場合、第１複写防止部１は、複写されず、第１の濃度よりも濃い第２の濃度で複写した場合、第２複写防止部２の第２パターン２２は、第２背景２１よりも濃く複写されるので、性能の向上した複写機によって複写をした場合であっても、不正な複写であると判定することが可能となる。
【００３６】
以上、複写防止印刷物をいくつかの実施例に基づいて説明してきたが、本発明はこれら実施例に限定されず種々の変形が可能である。
【符号の説明】
【００３７】
１，１’，１”…第１複写防止部
１１，１１”…第１背景
１１ａ…外側部分
１１ｂ…内側部分
１２，１２”…第１パターン
１２ａ…濃い部分
１２ｂ…薄い部分
２，２’，２”…第２複写防止部
２１，２１’，２１”…第２背景
２２，２２’，２２”…第２パターン
Ｐ…複写防止印刷物
Ｐ１…第１複写物
Ｐ２…第２複写物
【図１】
0005812260.tif 000002
【図２】
0005812260.tif 000003
【図３】
0005812260.tif 000004
【図４】
0005812260.tif 000005
【図５】
0005812260.tif 000006
【図６】
0005812260.tif 000007
【図７】
0005812260.tif 000008
【図８】
0005812260.tif 000009
【図９】
0005812260.tif 000010
【図１０】
0005812260.tif 000011